(57)【要約】【課題】  遊技機の背面側のスペ−スを有効に利用可能であるとともに、タンクからの遊技球の供給経路の保全を行う際の利便性に優れる遊技機を提供する。 【解決手段】  パチロット１０の窓枠１２の背面側に球通路６０と球通路６０と連結された払出装置１９とが設置されるとともに、本体部の背面側にはタンク１８が設置され、タンク１８と一方が連結されるとともに他の一方が本体部を貫通して本体部の前面側に露出するように連結通路４０が設置されており、背面側が本体部と略密着するように窓枠１２を回動させて閉鎖させたときに、連結通路４０と球通路６０とが連通し、タンク１８から払出装置１９への遊技球の通路が形成される。【選択図】図３
2006181047.tif 000002
【特許請求の範囲】
【請求項１】
遊技に関する各種の動作を制御する制御基板が設置される本体部と、同本体部の背面側に設置され、上部に備えられた外部装置から遊技球が供給される供給部と、上記本体部に対して開閉可能に取り付けられる窓枠と、同窓枠の前面側に設置され、払出装置から払い出された遊技球を皿貯留部に供給するための前面通路とを備える遊技機において、
上記払出装置と、遊技球を同払出装置に案内する球通路とが、上記窓枠に設けられ、
上記球通路は、上記本体部に背面側が略密着するように上記窓枠を閉鎖させたときに、上記供給部からの遊技球が供給され得るように配置されていることを特徴とする遊技機。
【発明の詳細な説明】
【技術分野】
【０００１】
本発明は、パチンコ遊技機等の遊技機に関する。
【背景技術】
【０００２】
従来、この種の遊技機として、外部装置から供給される遊技球を貯留するタンク、遊技球の払出装置、および、上記タンクから上記払出装置へ遊技球を案内する払出用通路が遊技機の背面側に設けられたものが知られている。（例えば、特許文献１参照）。
かかる構成によれば、タンクに貯留された遊技球のうち指定された数量だけを、払出装置により払い出すことが可能であった。払い出された遊技球は前面側に案内されて、遊技に使用される。
【特許文献１】特開２００４−０７３７１９号公報
【発明の開示】
【発明が解決しようとする課題】
【０００３】
ところで、近時、払出装置から払い出された遊技球を上皿に供給するための通路の一部または全部を、遊技機の前面側に設けるように構成された遊技機が提案されている。このような遊技機によれば、遊技機の背面側のスペ−スを広く確保することが可能となる。
しかしながら、上述した遊技機においても、払出用通路および払出装置が遊技機の背面側に設けられているため、遊技機の背面側における各基板等の設置スペースが限定されるという課題があった。また、払出用通路および払出装置を遊技機の背面側に備えることにより、同払出用通路の球詰まりの際の処置や、同払出装置のメンテナンスを行うことが困難であるという課題があった。
本発明は、上記課題にかんがみてなされたもので、遊技機の背面側のスペ−スを有効に利用可能であるとともに、タンクからの遊技球の供給経路の保全を行う際の利便性に優れる遊技機の提供を目的とする。
【課題を解決するための手段】
【０００４】
上記目的を達成するため、請求項1 にかかる発明では、遊技に関する各種の動作を制御する制御基板が設置される本体部と、同本体部の背面側に設置され、上部に備えられた外部装置から遊技球が供給される供給部と、上記本体部に対して開閉可能に取り付けられる窓枠と、同窓枠の前面側に設置され、払出装置から払い出された遊技球を皿貯留部に供給するための前面通路とを備える遊技機において、
上記払出装置と、遊技球を同払出装置に案内する球通路とが、上記窓枠に設けられ、
上記球通路は、上記本体部に背面側が略密着するように上記窓枠を閉鎖させたときに、上記供給部からの遊技球が供給され得るように配置されている構成としてある。
【０００５】
上記のように構成した請求項１の発明において、遊技に関する各種の動作を制御する制御基板が設置される本体部が備えられており、外部装置から遊技球が供給される供給部が同本体部の背面側に設置されている。また、窓枠は、上記本体部に対して開閉可能に取り付けられている。さらに、遊技球の払出装置から払い出された遊技球を皿貯留部に供給するための前面通路が上記窓枠の前面側に設置されている。
また、遊技球の払出装置と、遊技球を同払出装置に案内する球通路とが、上記窓枠に設けられており、球通路は、上記本体部に背面側が密着するように窓枠を回動させたときに、上記供給部からの遊技球が供給され得るように配置されている。
【０００６】
すなわち、払出装置、および、同払出装置に遊技球を案内する球通路とが本体部ではなく、同本体部の前面側に位置する窓枠に設けられるとともに、同本体部に窓枠の背面側を密着させたときに、供給部から払出装置へ遊技球を案内するための払出用通路が形成されることとなる。このようにすることにより、本体部の背面側に払出装置および球通路が設けられないため、同背面側のスペ−スを広く確保することができ、例えば、サブの液晶表示装置や、各種の役物等を設置することも可能となる。
また、本体部に対して窓枠を開放させれば、払出装置のメンテナンスや、球通路の球詰まりに対する処置を行うことができる。そのため、例えば、遊技中に同球詰まりが発生しても、短期間で処置を行うことができ、スム−ズに遊技を続行させることができるため、遊技者にとってストレスにならない。
本発明は、上記の構成に限られるものではなく、以下の手段をも含むものである。
【０００７】
手段１
手段１にかかる発明は、請求項１に記載した発明において、上記払出装置および上球通路は、上記本体部の前面側に配置される窓枠における透明領域を介して視認不可能な位置に設置されている構成としてある。
すなわち、遊技中に窓枠の透明領域を介して上記払出装置および上記球通路が視認されないため、遊技機の美観が損なわれることがない。
【０００８】
手段２
手段２にかかる発明は、請求項１または手段１のいずれかに記載した発明において、上記供給部は、上記遊技機の背面側に備えられ、
上記供給部に一端が連結されるとともに、上記本体部の前後を貫通して同本体部の前面側に他の一端が露出するように遊技球の連結通路が形成され、
上記本体部に背面側が密着するように上記窓枠を閉鎖させたときに、上記球通路と上記連結通路とが、遊技球が通過可能に連通する構成としてある。
【０００９】
すなわち、上記本体部を前後に貫通する連結通路を形成することにより、上記遊技機の背面側に備えられた上記供給部から遊技球を上記球通路まで案内することができる。上記遊技機の背面側に備えられる上記供給部として遊技球タンク等を適用することができる。上記遊技球タンクは大量の遊技球を一時的に貯留しておくことから、遊技者の手の届く位置に配設すると、遊技球が盗み取られる虞がある。従って、上記遊技球タンクは遊技機の背面側に配設しておくことが望ましい。
【００１０】
手段３
手段３にかかる発明は、手段２に記載した発明において、上記本体部に背面側が密着するように上記窓枠を閉鎖させたときに、上記連結通路における遊技球の通過面が、上記球通路における遊技球の通過面よりも上方に位置している構成としてある。
すなわち、上記連結通路と上記球通路とが連通しているときに、同連結通路における遊技球の通過面と同球通路における遊技球の通過面とが、連結通路における遊技球の通過面を上側として段差になっている。このようにすることにより、上記連結通路と上記球通路との連結部分において遊技球が引っ掛かってしまうことがなく、同連結部分において遊技球をスム−ズに通過させることが可能となる。
【００１１】
手段４
手段４にかかる発明は、手段２または手段３のいずれかに記載した発明において、上記連結通路および上記球通路は、上記本体部に背面側が略密着するように上記窓枠を閉鎖させたときにそれぞれ互いに嵌合し合う嵌合構造を有する構成としてある。
すなわち、上記連結通路および上記球通路に嵌合構造を採用することにより、上記本体部に背面側が略密着するように上記窓枠を閉鎖させたときに、上記連結通路と上記球通路とが接続され、これにより、位置合わせを確実に行うことができる。
【００１２】
手段５
手段５にかかる発明は、手段２から手段４のいずれかに記載した発明において、上記連結通路には、同連結通路と上記球通路が離反したときに、同連結通路における同球通路側の端部からの遊技球の排出を防止するシャッタ−を備える構成としてある。
背面側が本体部に対して上記窓枠が開くことにより、連結通路と球通路とが離反したときには、連結通路から球通路への遊技球の供給が断たれるとともに、連結通路から遊技球が零れ落ちるという事態が発生してしまうが、上記のように構成することにより、連結通路における球通路側の端部からの遊技球の排出を、シャッタ−により防止することができるため、連結通路から遊技球が零れ落ちてしまうことを防止することが可能となる。
【００１３】
手段６
手段６にかかる発明は、上記請求項１または手段１から手段５のいずれかに記載した発明において、上記遊技機は本体部における遊技領域にてドラムが回転させられるパチロットである構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しと発射が行われるため、本発明を適用することができる。
【発明の効果】
【００１４】
以上説明したように、請求項１にかかる発明によれば、本体部の背面側のスペ−スを広く確保することができ、また、払出装置のメンテナンスや球詰まりに対する処置を行う際の利便性に優れる遊技機を提供することができる。
手段１にかかる発明によれば、遊技機の美観が損なわれることがない。
手段２にかかる発明によれば、遊技者の手の届かない位置に供給部を設置することができ、遊技球の盗難を防止することが可能となる。
手段３にかかる発明によれば、連結通路と球通路との連結部分において遊技球をスム−ズに移動させることが可能となる。
手段４にかかる発明によれば、連結通路と球通路との位置合わせを確実に行うことができる。
手段５にかかる発明によれば、窓枠の背面側が本体部から離反したときに、連結通路から遊技球が零れ落ちてしまうことを防止することが可能となる。
手段６にかかる発明によれば、パチロットにおける本体部の背面側のスペ−スを広く確保することができるとともに、払出装置のメンテナンスや球詰まりに対する処置を行う際の利便性に優れたものとなる。
【発明を実施するための最良の形態】
【００１５】
ここでは、下記の順序に従って本発明の実施形態について説明する。
（１）第一の実施形態：
（２）第二の実施形態： 
（３）第三の実施形態： 
（４）第四の実施形態： 
（５）各種変形例：
（６）まとめ：
【００１６】
（１）第一の実施形態：
図１は、本発明の第一の実施形態にかかるパチンコ遊技機を斜めから見て示している。なお、本実施形態においては、遊技領域において回転するドラムを具備するパチロットを本発明に適用する場合について説明するが、本発明の遊技機はこれに限定されるものではない。同図において、パチロット１０は木材で矩形枠状に形成された外枠１１を有しており、同外枠１１をホ−ル等に固定することにより正立した状態で設置される。外枠１１の内側には合成樹脂等で形成された矩形枠状の本体枠２４（図示せず）が嵌め込まれている。なお、外枠１１、本体枠２４および後述する機構板１７は、上記本体部を構成するものである。また、外枠１１の前面側には、窓枠１２が本体部に対して回動可能に枢支されている。なお、この本体部は、窓枠１２の背面側が密着している状態で背面側に位置している。窓枠１２の前面側には、窓枠１２と回動可能な透明板保持枠としてのガラス枠１３が枢支されている。ガラス枠１３は中央部に窓穴１３ｄを有しており、同開口から透明板としてのガラス１３ａが露出するように保持されている。
【００１７】
ガラス１３ａは透視可能であり、ガラス１３ａの内側を視認することが可能となっている。そして、前面側からガラス１３ａを透視することにより、その内側に保持されているドラム５０の様子を視認することが可能となっている。なお、ガラス１３ａと本体枠２４との間の領域であって、ガラス１３ａを介して視認可能な領域が遊技領域である。遊技領域の略中央部分には、スロットマシンと同様に回転する３つのドラム５０が、その一部が前方に突出するように設けられている。このドラム５０の周面には、数字や絵柄が形成されている。なお、このパチロット１０は、スロットマシンにおけるメダルの代わりに遊技球を利用して遊技を行うものであり、例えば、５個の遊技球がメダル１個に相当するものとして遊技を楽しむことができる。
【００１８】
ガラス枠１３の下方には上皿１４が前面に向かって突設されており、さらにその下方には下皿１５が前面に向かって突設されている。なお、この上皿１４および下皿１５は、上記皿貯留部を構成するものである。上皿１４および下皿１５は所定の深みを有する皿状に形成されているため、遊技球を貯留しておくことができる。上皿１４の前面側中央部には３つの停止ボタン５１が設けられている。この停止ボタン５１は、対応するドラム５０の回転を停止させるためのものである。また、停止ボタン５１の左側には停止中のドラム５０の回転を開始させる契機となるスタ−トレバ−５２が設けられている。このパチロット１０では、上述したスタ−トレバ−５２を叩いて３つのドラム５０を回転させた後、遊技者の操作により停止ボタン５１を順次押下してドラム５０の各々を停止させ、３つのドラム５０の停止時に所定の数字または絵柄の組み合わせが有効ライン上に表示されたときには、遊技媒体としての遊技球が払い出される等、所定の利益が遊技者に対して付与されることとなる。なお、本発明の遊技機は、この実施形態のように上皿および下皿の両方を具備している必要はなく、例えば、上皿のみを具備していてもよい。
【００１９】
ガラス枠１３の左端には、後述する払出装置１９（図示せず）から払い出された遊技球を上皿１４に供給するための前面通路３０が設置されている。この前面通路３０は、透明部材で構成されており、内部を通過する遊技球を視認可能となっている。このようにすることにより、前面通路３０の内部を通過する遊技球による装飾効果を奏するとともに、遊技球が払い出されたことに対する達成感を強く享受することが可能となる。また、払出装置１９から払い出された遊技球の通路を前面側に設けることにより、本体部の背面側のスペ−スを広く確保することが可能となり、同スペ−スを有効利用することができる。
【００２０】
本実施形態では、この前面通路３０がガラス枠１３に形成されている場合について説明したが、この前面通路３０の設置場所としては、窓枠１２の前面側であれば特に限定されるものではない。窓枠１２の前面側に設置されるのであれば、本体部の背面側のスペ−スを広く確保することができるという効果を享受することができるからである。また、前面通路３０は、払出装置１９からの遊技球を上皿１４に供給するように形成されているが、本発明においては、下皿１５に遊技球を供給するように前面通路３０が形成されていてもよく、上皿１４および下皿１５の両方に遊技球を供給するように形成されていてもよい。
【００２１】
図２は、パチロット１０を背面側から見て示している。同図において、パチロット１０の背面側には略板状の機構板１７が枢支されており、外枠１１に保持されている本体枠２４は、同機構板１７によって背面側から覆われている。機構板１７には保護カバ−２２が取り付けられており、保護カバ−２２に背面側から覆われるようにドラムユニット２１や制御ボックス２３が配設されている。ドラムユニット２１は、遊技領域の略中央部に取り付けられたドラム５０（図１参照）の回転を制御するための装置である。制御ボックス２３は、パチロット１０の主要な動作を制御する制御基板を収容する基板ボックスであり、内部の制御基板を強固に封止している。
【００２２】
機構板１７の上部左側には、遊技球を貯留可能なタンク１８が備えられている。タンク１８は、幅方向に長い皿状に形成されており、上方に開口している。このタンクは、本発明にいう供給部に相当し、タンク１８は、ホ−ル等に設置されている遊技球の供給装置（図示せず）から遊技球の供給を受ける。タンク１８をパチロット１０における上方部分に設置しておくことにより、遊技球を自重により流下させることが可能となる。すなわち、タンク１８から後述する払出装置１９へ遊技球を供給させるための装置等が不要となる。また、タンク１８は、機構板１７の背面側（図２においては手前側）に設置されているため、このパチロット１０がホ−ルに設置されている状態でタンク１８を操作することができない。そのため、タンク１８内に貯留されている遊技球が盗難に遭うことを防止することができる。
【００２３】
上述したタンク１８は、連結通路４０と連結されており、タンク１８内に貯留されている遊技球は、この連結通路４０に供給される。連結通路４０は、タンク１８と一端が連結されるとともに、本体部を前後に貫通して他の一端が本体部の前面側（図２においては奥側）に露出するように設置されている。すなわち、この連結通路４０により、本体部の背面側の遊技球を前面側に案内することが可能となるのである。なお、連結通路４０は、タンク１８と別体で設けられていてもよく、また、タンク１８と一体成形されていてもよいが、タンク１８と一体成形されていることが望ましい。製造コストを削減することができるからである。
【００２４】
図３は、窓枠１２の背面側が本体部から離反するように窓枠１２を回動させたときの様子を示す斜視図である。同図に示すように、タンク１８は、外枠１１に嵌め込まれた本体枠２４の背面側の上部に設置されている。そして、タンク１８に一端が連結された連結通路４０は、本体部を前後に貫通し、本体部の前面側に他の一端が露出することとなる。この他の一端が連結通路４０における遊技球の出口４１となる。これにより、パチロット１０の背面側のタンク１８に貯留されている遊技球を本体部１７の前面側に案内することが可能となる。
【００２５】
窓枠１２は、上下一対のヒンジ部１２ａ、１２ｂをそれぞれ具備しており、これらを貫通する鉛直な回動軸にて回動することが可能となっている。すなわち、同回動軸にて回動させることにより、窓枠１２の背面側を本体部から離反させたり、窓枠１２の背面側を本体部と略密着させたりすることが可能となっている。本体枠２４の右端側中央部には、施錠機構２４ｃが形成されており、この施錠機構２４ｃにて窓枠１２の回動自由端を固定することが可能となっている。従って、窓枠１２を回動させて、窓枠１２の背面側を本体部に略密着させたときには、施錠機構２４ｃによって窓枠１２の回動自由端を固定することができ、窓枠１２の背面側や本体部に対して不正な操作が加えられることを防止することが可能となっている。通常、施錠機構２４ｃを開錠するための鍵は、遊技場の店員が所持しており、一般の遊技者が窓枠１２を開けることはできない。
【００２６】
窓枠１２の背面側であって、遊技領域の上側には、球通路６０および球通路６０と連通する払出装置１９が設けられている。球通路６０における背面側の側部には、一部を切り欠いた凹部６２が形成されている。後に詳述するが、窓枠１２の背面側が本体部に略密着するように窓枠１２を回動させ、窓枠１２が閉じられたときには、球通路６０の凹部６２に、連結通路４０が嵌合される。このようにすることにより、連結通路４０に対する球通路６０の位置合わせが成されることとなり、連結通路４０と球通路６０とを確実に接続することができる。上述した連結通路４０と球通路６０との接続が成されると、連結通路４０における出口４１から排出された遊技球は、球通路６０へと案内されることとなる。すなわち、背面側が本体部に略密着するように窓枠１２を回動させ、窓枠１２を閉じたときに、本体部の背面側に設けられたタンク１８に貯留されている遊技球を、前面側の窓枠１２に設けられた払出装置１９に案内するための通路が形成されるのである。
【００２７】
図４は、窓枠１２の背面側が本体部に略密着しているときのタンク１８、連結通路４０、球通路６０および払出装置１９の位置関係を示す図である。タンク１８における遊技球の通過面１８ａは、右側に向かって下方に傾斜しており、タンク１８内の遊技球は、自重により右方向へ流下し、タンク１８と連結された連結通路４０に供給される。一方、連結通路４０における遊技球の通過面４２は、手前側に向かって下方に傾斜しており、タンク１８から連結通路４０に供給された遊技球は、手前側に向かって自重により流下し出口４１から排出される。
【００２８】
連結通路４０における出口４１側の端部は、球通路６０の右側側部に形成された凹部６２と嵌合されている。この状態で連結通路４０における遊技球の通過面４２は、球通路６０における遊技球の通過面６１よりも上側に形成されており、これにより、連結通路４０の出口４１から排出された遊技球は、スム−ズに球通路６０の通過面６１上に載置されることとなる。従って、連結通路４０と球通路６０との連結部分において、スム−ズな遊技球の流下を実現することが可能となるのである。
【００２９】
球通路６０における遊技球の通過面６１は、左側に向かって下方に傾斜しており、連結通路４０から供給された遊技球は、自重により通過面６１を左方向に流下し、球通路６０の左側端部に接続された払出装置１９に案内される。この払出装置１９は、後に詳述するが、予め定められた数の遊技球を払出口１９ａから払い出すことが可能である。例えば、３つのドラム５０の停止時に有効ライン上に所定の数字または絵柄の組み合わせが表示され、５個の賞球が得られるときには、払出装置１９は、５個の遊技球を払出口１９ａから払い出すように駆動される。払出装置１９の払出口１９ａは、図１に示した前面通路３０と連通しており、払い出された遊技球は前面通路３０に供給される。
【００３０】
図５は、図４に示した払出装置１９における遊技球の払出機構を示す斜視図である。
払出装置１９は、互いに並設された一対の案内筒７２、７３を有しており、これら案内筒７２、７３の内側に遊技球を通過させることができる。案内筒７２、７３の下部には、それぞれ爪付カム７６、７７が互いに１８０°位相を異ならせた状態で回転軸７８に接続されており、この回転軸７８は、払出用モ−タ７９の回転軸８０に接続されている。爪付カム７６、７７は、払出用モ−タ７９が駆動することにより回転軸７８を軸として回転可能となっている。また、爪付カム７６、７７の先端部には、円弧状の爪７６ａ、７７ａがそれぞれ形成されており、爪７６ａ、７７ａにおける円弧部分は、遊技球Ｐの円周部分と略同一形状であり、１個の遊技球Ｐを同部分に嵌め込むことができる。
【００３１】
遊技球の払い出しを行う際には、払出用モ−タ７９を駆動させて各爪付カム７６、７７を回転させる。爪付カム７６の爪７６ａ、または、爪付カム７７の爪７７ａのいずれかに遊技球Ｐが嵌り込むと、嵌り込んだ状態で爪付カムの回転とともに案内筒７２または案内筒７３の下方に排出される。そして、下方に排出された遊技球は自重により落下し、図４に示した払出口１９ａから払い出されるのである。上述したように、爪付カム７６および爪付カム７７は、位相を１８０°異ならせた状態で回転軸７８に接続されているため、払出用モ−タ７９の回転軸７８が一回転すると、爪付カム７６および爪付カム７７によりそれぞれ一個の遊技球が下方に案内されることとなる。すなわち、回転軸７８が一回転すると２個の遊技球が払い出されるのである。
【００３２】
図６は、窓枠１２の背面側が本体枠２４から離反するように窓枠１２を回動させたときの水面断面図である。同図において、タンク１８（図示せず）に連結された連結通路４０が、本体枠２４を前後に貫通するように設けられている。一方、窓枠１２の背面側には、球通路６０が設けられ、この球通路６０の左側端部は、払出装置１９と接続されている。また、球通路６０における右側側部には、同側部の一部を切り欠いた凹部６２が形成されている。窓枠１２を閉じるときには、図中、白抜きの矢印に示す方向に窓枠１２を回動させ、窓枠１２の背面側を本体枠２４に略密着させる。
【００３３】
図７は、窓枠１２の背面側が本体枠２４に略密着しているときの水平断面図である。窓枠１２の背面側が本体枠２４に略密着し、窓枠１２が閉じられている状態では、連結通路４０の前面側先端部が、球通路６０に形成された凹部６２の上側に嵌り込んでいる。球通路６０の凹部６２は、連結通路４０の幅（図中、横方向の幅）よりも広幅であり、連結通路４０が嵌り込んだ状態で左右に所定間隔の隙間があいている。このような隙間があくように凹部６２の幅を設定することにより、本体枠２４に対して若干、左右にずれた状態で窓枠１２が閉じられても、確実に連結通路４０を凹部６２に嵌め込むことができる。なお、上記隙間は、球通路６０に供給された遊技球が同隙間から落下しないように、遊技球の直径よりも小さい幅となるように設定されることが望ましい。
【００３４】
図７に示した状態となり、連結通路４０と球通路６０とが連通した状態となると、図中矢印にて示すように、連結通路４０の出口４１から排出された遊技球は、球通路６０に供給され、通過面６１上を左方向に流下し、払出装置１９に供給されることとなる。
また、図６に示したように、窓枠１２が開いている状態では、窓枠１２の背面側に設置された球通路６０および払出装置１９に手を加えることができる状態となっており、球通路６０での球詰まりや、払出装置１９のメンテナンス等を行うことができる。すなわち、球通路６０で球詰まりが発生したり、払出装置１９において不具合が発生したりして遊技球の払い出されなくなった場合には、遊技店の店員は、所持する鍵等を用いて施錠機構２４ｃを開錠した後に窓枠１２を回動させることにより球通路６０および払出装置１９に対して所定の処置を行うことが可能となる。特に、球通路６０の球詰まりを解消させるだけであれば、処置に要する時間は僅少であり、遊技者がパチロット１０の前に座ったままの状態で同処置を行っても、遊技者を必要以上に待たせることはなく、遊技者に苛立ちを感じさせることもない。
【００３５】
（２）第二の実施形態：
図８は、第二の実施形態にかかる遊技機（パチロット）が具備する球通路および払出装置を上から見た平面図である。なお、第二の実施形態にかかるパチロットにおける図８〜図１０に示す以外の構成部材に関しては、第一の実施形態と同様であるため説明を省略する。
同図において、球通路１６０の左側端部には、払出装置１１９が連結されており、この払出装置１１９には、払出口１１９ａが形成されている。球通路１６０の右側側部には、凹部１６２が形成されており、この凹部１６２には、後述する連結通路１４０（図示せず）が嵌め込まれる。連結通路１４０から球通路１６０に供給された遊技球は、球通路１６０における遊技球の通過面１６１上を左方向に流下し、払出口１１９に供給されることなる。
【００３６】
球通路１６０に形成された凹部１６２の左側には、位置合わせ用の凸部１６３が、奥側（図８においては上側）に突出するように形成されている。この凸部１６３は、窓枠１２の背面側が本体枠２４に略密着するように閉じられたときに、後述する連結通路１４０に形成された凹部１４５ａに嵌合されることにより、連結通路１４０と球通路１６０との位置合わせを行うためのものである。なお、図８には、球通路１６０および払出装置１１９が設置されている位置は、図３に示した球通路６０および払出装置１９が設置される位置と同じであるため、図示を省略している。
【００３７】
図９は、第二の実施形態にかかるパチロットが具備するタンクおよび同タンクと連結されている連結通路を示す斜視図である。タンク１１８は、本体部（図示せず）の背面側に設置されるものであり、タンク１１８における遊技球の通過面１１８ａは、右側に向かって下方に傾斜している。また、タンク１１８と一体的に形成された連結通路１４０における遊技球の通過面１４２は、手前側に向かって下方に傾斜しており、通過面１４２を手前側に向かって流下する遊技球は、出口１４１から排出されることとなる。出口１４１より若干手前側の左側側壁部には、板形状の当接板１４５が連結通路１４０と一体的に形成されており、当接板１４５には、図８に示した凸部１６３が嵌合される凹部１４５ａが形成されている。また、球通路１６０の凸部１６３が凹部１４５ａに嵌合された状態では、当接板１４５は、球通路１６０の側壁部と当接する。なお、図９についても、タンク１１８および連結通路１４０が設置されている位置は、図２、図３に示したタンク１８および連結通路４０が設置される位置と同じであるため、図示を省略している。
【００３８】
図１０は、窓枠の背面側が本体部に略密着しているときのタンク１１８、連結通路１４０、球通路１６０および払出装置１１９の位置関係を示す平面図である。第二実施形態にかかるパチロットの窓枠の背面側が本体部に略密着し、窓枠が閉じられているときには、球通路１６０に形成された凸部１６３が、連結通路１４０に形成された凹部１４５ａに嵌合されることにより、連結通路１４０と球通路１６０とについて、上下左右方向の位置合わせが成されることとなる。また、この状態で連結通路４０の出口１４１側の先端部が、球通路１６０に形成された凹部１６２の上側に位置するとともに、連結通路１４０が凹部１６２に嵌り込んだ状態で、左右に同じ間隔だけ隙間があいた状態となる。すなわち、連結通路１４０が凹部１６２の中央部分に位置することとなる。
【００３９】
上述したように、第二の実施形態にかかるパチロットによれば、連結通路１４０の凹部１４３ａと、球通路１６０の凸部１６３とで嵌合構造が形成されることとなるため、連結通路１４０と球通路１６０との位置合わせを正確に行うことが可能となる。なお、第二の実施形態では、凹部１４３ａと凸部１６３とから形成される１つ嵌合構造が形成されている場合について説明したが、２以上の嵌合構造が形成されるようにして、連結通路と球通路との位置をより確実に固定するように構成されていてもよい。
【００４０】
（３）第三の実施形態：
図１１は、第三の実施形態にかかるパチロットが具備する連結通路および球通路を示す斜視図である。なお、第三の実施形態にかかるパチロットにおける図１１、図１２に示した以外の構成部材に関しては、第一の実施形態と同様であるため説明を省略する。同図において、連結通路２４０における出口２４１側の端部の側壁部には、タンク（図示せず）から流下する遊技球を塞き止めるシャッター２４３が取り付けられている。このシャッター２４３は、連結通路２４０の側壁部の略中央部分に取り付けられた一対の軸突起２４４、２４４に回動可能に取り付けられている。すなわち、シャッター２４３は、この軸突起２４４、２４４を結ぶ回動軸を中心として回動することが可能となっている。
【００４１】
また、軸突起２４４、２４４の一方には、バネ２４５が取り付けられている。このバネ２４５は、コイル状のト−ションバネであり、同コイル部分の内側を軸突起２４５が挿通している。バネ２４５の一端は、シャッター２４３に固定されているとともに、他の一端は、連結通路２４０の内壁面に固定されている。図１１に示すようにシャッター２４３が、連結通路２４０を塞ぐように閉じられているときには、バネ２４５は付勢されていない。従って、図１１に示した状態から、シャッター２４３が上記回動軸を中心として回動し、バネ２４５の両端が交差する角度を広がったり、狭まったりすると、バネ２４５が付勢されることとなる。
【００４２】
一方、球通路２６０における前面側の側壁部は、他の側壁部よりも高くなるように形成されており、この部分に矩形状の開口２６２が形成されている。窓枠の背面側が本体部に略密着するように窓枠が閉じられたときに、この開口２６２に連結通路２４０の出口２４１側の端部が嵌り込む。また、開口２６２の上側には、板状の押圧部２６４が背面側に突出するように形成されている。背面側が本体部に略密着するように窓枠が閉じられたときには、この押圧部２６４により、連結通路２４０に取り付けられたシャッター２４３の上記回動軸より上側が押し込まれ、それにより、シャッター２４３が回動する。
【００４３】
図１２は、図１１に示した押圧部２６４がシャッター２４３の上部を押し込んだときの様子を示す斜視図である。同図において、球通路２６０に形成された押圧部２６４が、シャッター２４３における軸突起２４４、２４４よりも上側の部分を背面側に押し込んでいる。これにより、バネ２４５の両端が交差する角度が広がって付勢するとともに、シャッター２４３の下側部分が手前側に持ち上がるように回動する。シャッター２４３が回動することにより、遊技球の塞き止めが解除されるとともに、出口２４１から遊技球が排出されることとなる。一方、背面側が本体部から離反するように窓枠が回動し、押圧部２６４がシャッター２４３から離反すると、バネ２４５の付勢力により、シャッター２４３が正立するように回動する。すなわち、図１１に示した状態となり、遊技球が塞き止められるのである。
【００４４】
上述したように、第三の実施形態にかかるパチロットによれば、窓枠の背面側が本体部に略密着して閉鎖しているときには、シャッター２４３が開く一方、窓枠の背面側が本体部から離反したときには、シャッター２４３が閉じて遊技球を塞き止めるように構成されているため、窓枠を開いて同窓枠と本体部とが離反して、窓枠に設置されている球通路と本体部に設置されている連結通路とが離反することにより、連結通路からの遊技球が零れ落ちてしまうことを防止することが可能となる。
【００４５】
（４）第四の実施形態：
図１３は、第四の実施形態にかかるパチロットを斜めから見て示している。なお、第四の実施形態にかかるパチロットにおける図１３〜図１５に示した以外の構成部材に関しては、第一の実施形態と同様であるため説明を省略する。同図において、ガラス枠３１３の左端には、後述する払出装置３１９（図示せず）から払い出された遊技球を上皿３１４に供給するための前面通路３３０が設置されているのであるが、図１に示した前面通路３０と比較して短く、且つ、払出装置３１９側の端部が下側に位置したものとなっている。この前面通路３３０も、図１に示した前面通路３０と同様、透明部材で構成されており、内部を通過する遊技球による装飾効果を得ることが可能となっている。
【００４６】
図１４は、パチロット３１０における窓枠３１２の背面側が本体枠３２４から離反するように窓枠３１２を回動させたときの様子を示す斜視図である。同図に示すように、タンク３１８は、外枠３１１に嵌め込まれた本体枠３２４の背面側の上部に設置されている。そして、タンク３１８に一端が連結された連結通路３４０は、本体枠３２４を前後に貫通し、本体枠３２４の前面側に他の一端が露出することとなり、出口３４１を形成している。一方、窓枠３１２の背面側であって、遊技領域の上側には、球通路３６０が設置されている。この球通路３６０は、連結通路３４０から供給された遊技球を、図１４において左側から右側へと案内する横方向通路３６４と、横方向通路３６４の右側端部と連結され、遊技球を下方へと案内する筒状の縦方向通路３６５とから構成されている。そして、縦方向通路３６５の下側端部は、払出装置３１９と連結されている。
【００４７】
図１５は、窓枠３１２の背面側が本体枠３２４に略密着しているときのタンク３１８、連結通路３４０、球通路３６０および払出装置３１９の位置関係を示す図である。タンク３１８における遊技球の通過面３１８ａは、右側に向かって下方に傾斜しているため、タンク１８内の遊技球は、自重により右方向へ流下し、連結通路３４０に供給される。一方、連結通路における遊技球の通過面３４２は、手前側に向かって下方に傾斜しており、遊技球は手前側に向かって流下するとともに出口３４１から排出される。また、連結通路３４０の出口３４１から排出された遊技球は、球通路３６０の横方向通路３６４の右側端部に供給されるとともに、左方向に流下する。横方向通路３６４の左側端部は、縦方向通路３６５と連結されており、遊技球は、縦方向通路３６５内を落下し，払出装置３１に供給されることとなる。
【００４８】
図１３〜図１５を用いて説明したように、第四の実施形態にかかるパチロット３１０によれば、窓枠３１２の背面側上部に設置された球通路３６１における横方向通路３１４から下方に延びる縦方向通路３１５が形成されており、縦方向通路３１５の下側端部に払出装置３１９が連結されている。すなわち、払出装置３１９は、第一の実施形態に示した払出装置１９よりも下側に設置されているのである。そのため、払出装置３１９および上皿３１４と連結された前面通路３３０の長さが短くなる、すなわち、払出装置３１９から上皿３１４までの遊技球の通過経路が短くなるのである。このため、払出装置３１９から払い出された遊技球が上皿３１４に供給されるまでの時間が短縮される。また、払出装置３１９から払い出された遊技球が上皿３１４に供給されるまで、同遊技球が前面通路３３０内を落下する距離が短くなるため、落下時の衝撃音を低減させることができる。さらに、前面通路３３０内を落下する距離が短くなることにより、前面通路３３０の出口から遊技球が排出される際の遊技球の速度が低減されるため、勢い良く排出された遊技球が上皿３１４外に飛び出してしまうことを防止することが可能となる。
【００４９】
（５）各種変形例：
上述した第一〜第三の実施形態では、払出装置および球通路が共に、窓枠の背面側上部に設けられており、また、第四の実施形態では、球通路の一部が窓枠の背面側上部に設けられているとともに、同球通路の他の一部、および、払出装置が窓枠の背面側の左側部に設置されているが、本発明において上記払出装置および球通路が設置されている位置としては、窓枠に設置されているのであれば特に限定されるものではない。しかし、遊技機の美観を損ねないという効果が得られることから、窓枠における透明領域を介して視認不可能な位置、すなわち、遊技領域以外の領域に設置されることが望ましい。例えば、払出装置および球通路を、共に窓枠の背面側の右側部に設置するようにしてもよい。
【００５０】
上述した第一〜第四の実施形態においては、本発明の遊技機をパチロットに適用した場合について説明したが、本発明において適用される遊技機の種類は限定されるものではない。すなわち、実施形態に示したパチロットの他、第一種のパチンコ遊技機（所謂、セブン機）、第二種のパチンコ遊技機（所謂、羽根物）、第三種のパチンコ遊技機（所謂、権利物）、および、これらを組み合わせたパチンコ遊技機等、各種の遊技機に本発明を適用することが可能である。
【００５１】
（６）まとめ：
以上説明したように本発明によれば、パチロット１０の窓枠１２の背面側に球通路６０と球通路６０と連結された払出装置１９とが設置されるとともに、本体部の背面側にはタンク１８が設置され、タンク１８と一方が連結されるとともに他の一方が本体部を貫通して本体部の前面側に露出するように連結通路４０が設置されており、背面側が本体部と略密着するように窓枠１２を回動させたときに、連結通路４０と球通路６０とが連通し、タンク１８から払出装置１９への遊技球の通路が形成される。このようにすることにより、本体部の背面側のスペ−スを広く確保することができ、各種の役物や装置を追加することが可能となる。また、背面側が本体部から離反するように窓枠１２を回動させれば、払出装置１９のメンテナンスや球通路６０の球詰まりに対する処置を行うことが可能となるため、払出装置１９や球通路６０に異常が発生したときの措置を迅速に行うことができる。
【図面の簡単な説明】
【００５２】
【図１】第一の実施形態にかかるパチロットの斜視図である。
【図２】第一の実施形態にかかるパチロットの背面図である。
【図３】第一の実施形態にかかるパチロットの窓枠を開いたときの様子を示す斜視図である。
【図４】タンク、連結通路、球通路および払出装置の位置関係を示す斜視図である。
【図５】払出装置の払出機構を示す斜視図である。
【図６】窓枠を本体部から離反させたときの水平断面図である。
【図７】窓枠が本体部と略密着しているときの水平断面図である。
【図８】第二の実施形態にかかるパチロットが具備する球通路および払出装置の平面図である。
【図９】第二の実施形態にかかるパチロットが具備するタンクおよび同タンクと連結されている連結通路を示す斜視図である。
【図１０】窓枠が本体部に略密着しているときのタンク、連結通路、球通路とよび払出装置の位置関係を示す平面図である。
【図１１】第三の実施形態にかかるパチロットが具備する連結通路および球通路を示す斜視図である。
【図１２】図１１に示した押圧部がシャッターの上部を押し込んだときの様子を示す斜視図である。
【図１３】第四の実施形態にかかるパチロットの斜視図である。
【図１４】第四の実施形態にかかるパチロットの窓枠を開いたときの様子を示す斜視図である。
【図１５】タンク、連結通路、球通路および払出装置の位置関係を示す斜視図である。
【符号の説明】
【００５３】
１０、３１０…パチロット
１１、３１１…外枠
１２、３１２…窓枠
１３…ガラス枠
１３ａ…ガラス
１４、３１４…上皿
１５…下皿
１７…機構板
１８、１１８、３１８…タンク
１９、１１９、３１９…払出装置
２１…ドラムユニット
２３…制御ボックス
２４…本体枠
３０、３３０…前面通路
４０、１４０、２４０、３４０…連結通路
４１、１４１，２４１，３４１…出口
４２、１４２、３４２…通過面
４３…オーバーフロー通路
５０…ドラム
５１…停止ボタン
５２…スタ−トレバ−
６０、１６０、２６０、３６０…球通路
６１、１６１、 ３６１…通過面
６２、１６２、３６２…凹部
１４５…当接板
１４５ａ…凹部
１６３…凸部
２４３…シャッター
２４４…軸突起
２４５…バネ
３６４…横方向通路
３６５…縦方向通路
【図１】
2006181047.tif 000003
【図２】
2006181047.tif 000004
【図３】
2006181047.tif 000005
【図４】
2006181047.tif 000006
【図５】
2006181047.tif 000007
【図６】
2006181047.tif 000008
【図７】
2006181047.tif 000009
【図８】
2006181047.tif 000010
【図９】
2006181047.tif 000011
【図１０】
2006181047.tif 000012
【図１１】
2006181047.tif 000013
【図１２】
2006181047.tif 000014
【図１３】
2006181047.tif 000015
【図１４】
2006181047.tif 000016
【図１５】
2006181047.tif 000017